(57)【要約】【課題】    本発明は、通信品質が悪い中で、携帯電話等の留守番電話機能により録音された音声が途切れることを防止し、その品質を高く保つと共に、通信品質が低下してから回復した後、相手が再度重要なメッセージを喋り、重要なメッセージが確実に録音されることを可能とする。【解決手段】  音声を録音することが可能なメモリ部１０１と、通話相手の音声をメモリ部に録音する留守番電話部１０５と、通信品質を測定する通信品質測定部１０６と、通信品質が低下したときに、録音を一時中断し、通信品質が回復したときに、録音を再開することにより、通信品質が低下したときの通話相手の音声を除き、通信品質が低下していないときの通話相手の音声のみをメモリ部に記憶するよう留電話部を制御し、録音を再開する時に、通話相手に対し、留守録のメッセージを再度喋ることを要請する旨の音声の送出を行う制御部１０２と、を備える。【選択図】        図１
2005079821.tif 000002
【特許請求の範囲】
【請求項１】
音声が録音されるメモリ部と、
通話相手の音声を前記メモリ部に録音する留守番電話部と、
通信品質を測定する通信品質測定部と、
前記通信品質が低下したときに、前記録音を一時中断し、前記通信品質が回復したときに、前記録音を再開することにより、通信品質が低下したときの通話相手の音声を除き、通信品質が低下していないときの通話相手の音声のみをメモリ部に記憶するよう前記留電話部を制御し、前記録音を再開する度に、通話相手に対し、留守録のメッセージを再度喋ることを要請する旨の音声の送出を行う制御部と、
を備えることを特徴とする留守録欠落防止方式。
【請求項２】
音声が録音されるメモリ部と、
通話相手の音声を前記メモリ部に録音する留守番電話部と、
通信品質を測定する通信品質測定部と、
前記通信品質が低下したときに、前記録音を一時中断し、前記通信品質が回復したときに、前記録音を再開することにより、最後に通信品質が回復してから録音が終了するまでの通話相手の音声のみをメモリ部に記憶するよう前記留電話部を制御し、前記録音を再開する度に、通話相手に対し、留守録のメッセージを再度喋ることを要請する旨の音声の送出を行う制御部と、
を備えることを特徴とする留守録欠落防止方式。
【請求項３】
請求項１又は２に記載の留守録欠落防止方式において、
前記通信品質測定部は、受信信号の符号誤り率を測定することを特徴とする留守録欠落防止方式。
【請求項４】
請求項１又は２に記載の留守録欠落防止方式において、
前記通信品質測定部は、受信信号の電界強度を測定することを特徴とする留守録欠落防止方式。
【請求項５】
通話相手の音声を音声をメモリ部に録音する留守録ステップと、
通信品質を測定する通信品質測定ステップと、
前記通信品質が低下したときに、前記録音を一時中断し、前記通信品質が回復したときに、前記録音を再開することにより、通信品質が低下したときの通話相手の音声を除き、通信品質が低下していないときの通話相手の音声のみをメモリ部に記憶し、するよう前記留守録ステップを制御し、前記録音を再開する度に、通話相手に対し、留守録のメッセージを再度喋ることを要請する旨の音声の送出を行う制御ステップと、
を有することを特徴とする留守録欠落防止方法。
【請求項６】
通話相手の音声を音声をメモリ部に録音する留守録ステップと、
通信品質を測定する通信品質測定ステップと、
前記通信品質が低下したときに、前記録音を一時中断し、前記通信品質が回復したときに、前記録音を再開することにより、最後に通信品質が回復してから録音が終了するまでの通話相手の音声のみをメモリ部に記憶し、するよう前記留守録ステップを制御し、前記録音を再開する度に、通話相手に対し、留守録のメッセージを再度喋ることを要請する旨の音声の送出を行う制御ステップと、
を有することを特徴とする留守録欠落防止方法。
【請求項７】
請求項５又は６に記載の留守録欠落防止方法において、
前記通信品質測定ステップは、受信信号の符号誤り率を測定することを特徴とする留守録欠落防止方法。
【請求項８】
請求５又は６に記載の留守録欠落防止方法において、
前記通信品質測定ステップは、受信信号の電界強度を測定することを特徴とする留守録欠落防止方法。
【発明の詳細な説明】
【技術分野】
【０００１】
本発明は、留守録欠落防止方式及びその方法に関し、特に、携帯電話等における留守録欠落防止方式及びその方法に関する。
【背景技術】
【０００２】
携帯電話端末に内蔵された留守番電話機能に伝言メッセージ録音時に周囲の状況で電波環境が悪化し、メッセージが途切れ大事な情報が伝わらないという事が起こり得る。その結果、受信者からの煩わしい再確認の連絡が必要となる。
【０００３】
また、従来の発明の中には、留守番電話機能として発番号と伝言メッセージを関連付けて、発番号が同じ場合には、録音した伝言メッセージの確認、変更、追加、また、削除する事を提案したものがある（例えば、特許文献１参照）。
【０００４】
また、伝送路を介して送られてくる音声データを記録可能な通信装置であって、前記音声データが記録される記録手段と、前記伝送路を介して受信した音声データの誤り率を検出する誤り率検出手段と、前記記録手段への前記音声データの記録を指示する指示手段と、この指示手段により記録が指示されている間、前記誤り率検出手段により検出された誤り率の値が予め定められた所定値以上のとき、前記音声データを前記記録手段に記録することを停止する記録制御手段と、を備えたことを特徴とする通信装置の発明も存在する（例えば、特許文献２）。
【特許文献１】特開２０００−４９９３２号公報
【特許文献２】特開平１０−２２４３１１号公報
【発明の開示】
【発明が解決しようとする課題】
【０００５】
しかし、上記発明は録音されたメッセージの確認および変更を目的としており、録音した伝言メッセージを確認し、その後に変更する煩わしさがある。
【０００６】
また、特許文献２の発明では、通話相手が、留守録が一時中断されていることを認識できず、留守録が一時中断されている間のメッセージは完全に欠落してしまう。
【０００７】
本発明は、通信品質が悪い中で、携帯電話等の留守番電話機能により録音された音声が途切れることを防止し、その品質を高く保つと共に、通信品質が低下してから回復した後、相手が再度重要なメッセージを喋り、重要なメッセージが確実に録音されることを可能とすることを目的とする。
【課題を解決するための手段】
【０００８】
本発明によれば、音声が録音される可能なメモリ部と、通話相手の音声を前記メモリ部に録音する留守番電話部と、通信品質を測定する通信品質測定部と、前記通信品質が低下したときに、前記録音を一時中断し、前記通信品質が回復したときに、前記録音を再開することにより、通信品質が低下したときの通話相手の音声を除き、通信品質が低下していないときの通話相手の音声のみをメモリ部に記憶するよう前記留電話部を制御し、前記録音を再開する時に、通話相手に対し、留守録のメッセージを再度喋ることを要請する旨の音声の送出を行う制御部と、を備えることを特徴とする留守録欠落防止方式が提供される。
【０００９】
また、本発明によれば、音声が録音されるメモリ部と、通話相手の音声を前記メモリ部に録音する留守番電話部と、通信品質を測定する通信品質測定部と、前記通信品質が低下したときに、前記録音を一時中断し、前記通信品質が回復したときに、前記録音を再開することにより、最後に通信品質が回復してから録音が終了するまでの通話相手の音声のみをメモリ部に記憶するよう前記留電話部を制御し、前記録音を再開する度に、通話相手に対し、留守録のメッセージを再度喋ることを要請する旨の音声の送出を行う制御部と、を備えることを特徴とする留守録欠落防止方式が提供される。
【００１０】
上記の留守録欠落防止方式において、前記通信品質測定部は、受信信号の符号誤り率を測定してもよい。
【００１１】
上記の留守録欠落防止方式において、前記通信品質測定部は、受信信号の電界強度を測定してもよい。
【発明の効果】
【００１２】
本発明によれば、通信品質が低下したときに、通話相手の音声の録音を一時中断し、通信品質が回復したときに、通話相手の音声の録音を再開することにより、通信品質が低下したときの通話相手の音声を除き、通信品質が低下していないときの通話相手の音声のみをメモリ部に記憶するようにするので、伝言メッセージの録音内容が途切れて、伝言メッセージ中の大事な情報が欠落することを防止することができる。
【００１３】
また、本発明によれば、前記通信品質が低下したときに、前記録音を一時中断し、前記通信品質が回復したときに、前記録音を再開することにより、最後に通信品質が回復してから録音が終了するまでの通話相手の音声のみをメモリ部に記憶するので、伝言メッセージの録音内容が途切れて、伝言メッセージの大事な情報が欠落することを防止することができる。
【００１４】
更に、録音を再開する時に、通話相手に対し、留守録のメッセージを再度喋ることを要請する旨の音声の送出を行うので、通話相手が録音を中断していたことを認識して、再度同一の内容を喋ることを促すことができる。
【発明を実施するための最良の形態】
【００１５】
本発明は、従来の携帯電話端末に内蔵された留守番電話機能への伝言メッセージ録音において、電波環境が悪化し伝言メッセージが途切れた場合に、メッセージの通話相手は、途切れた事を認識し、かつ、修正する事が出来なかったという問題を改善する為に、電波環境が悪化した場合には、メッセージの録音を一時停止する。また、電波環境が正常に戻った場合には、メッセージの録音を再開し、再開する際にその旨の通知および再録音の要請をする事で伝言メッセージの欠落を防止できる事を特徴としている。
【００１６】
［実施形態１］
本発明の実施形態１による携帯電話の構成を図１のブロック図を参照し説明する。
【００１７】
本発明の実施形態１による携帯電話は、メモリ部１０１、制御部１０２、無線部１０３、アンテナ部１０４、留守番電話部１０５及び符号誤り率測定部１０６を備える。
【００１８】
メモリ部１０１は、フラッシュメモリ等より構成され、留守番電話機能の録音メッセージや不在メッセージ、また、受信信号の信号誤り率のしきい値、更には携帯電話の設定などを保持する。
【００１９】
制御部１０２は、携帯電話全体の制御を行う。また、制御部１０２は、誤り率測定部１０６の状態を確認し、符号誤り率がメモリ部１０１に設定されたしきい値を超えた場合には、伝言メッセージの録音を一時停止する、また、制御部１０２は、符号誤り率がしきい値以下に戻った場合には、メッセージの録音を再開し、再開の際にその旨を通話相手に通知する。
【００２０】
無線部１０３は、送信無線信号及び受信無線信号の変復調等を行う。
【００２１】
アンテナ部１０４は、無線信号の送受信を行う。
【００２２】
留守番電話部１０５は、通話相手の声をメモリ部１０１に記録する。
【００２３】
符号誤り率測定部１０６は、受信信号の符号誤り率を測定する。
【００２４】
次に、本発明の実施形態１による携帯電話の動作を図１及び図２を参照して説明する。
【００２５】
留守番電話状態に入ったならば（ステップ２０１）、着呼があるまで待ち続け（ステップ２０２）、着呼があったならば（ステップ２０２でＹＥＳ）、不在メッセージを通話相手に送出し（ステップ２０３）、次に、伝言メッセージの録音を開始する（ステップ２０４）
録音の最中には、常に制御部１０２は符号誤り率測定部１０６により測定された受信信号の符号誤り率を監視し、その符号誤り率がメモリ部１０１に設定されたしきい値を超えるか否かを判断する（ステップ２０５）。符号誤り率がしきい値以下である場合には（ステップ２０５でＮＯ）、通話相手による終話処理が完了したか否かを判断する（ステップ２０６）。通話相手による終話処理が行われていない場合には（ステップ２０６でＮＯ）、ステップ２０４に戻り、伝言メッセージの録音を継続する。通話相手による終話処理が完了した場合には（ステップ２０６でＹＥＳ）、伝言メッセージをメモリ部１０１に保存し（ステップ２０７）、終話する（ステップ２０８）。
【００２６】
符号誤り率がメモリ部１０１に設定されたしきい値を超えたと判断された場合には（ステップ２０５でＹＥＳ）、制御部１０２は留守番電話部１０５に伝言メッセージの録音を一時停止させる（ステップ２０９）。次に、制御部１０２は、メッセージの録音完了を確認し、また、録音の途中終了の確認として、通話相手による終話処理完了を確認する（ステップ２１０）。通話相手による終話処理が完了している場合には（ステップ２１０でＹＥＳ）、伝言メッセージを保存し（ステップ２０７）、終話する（ステップ２０８）。
【００２７】
通話相手による終話処理が行われていない場合には（ステップ２１１でＮＯ）、受信信号の符号誤り率がしきい値以下に戻ったか否かを確認する（ステップ２１１）。受信信号の符号誤り率がしきい値以下に戻らない場合には（ステップ２１１でＮＯ）、ステップ２１０に戻り、再度、通話相手による終話処理完了を確認する。
【００２８】
受信信号の符号誤り率がしきい値以下に戻った場合には（ステップ２１１でＹＥＳ）、電波環境が正常に戻ったとして、通話相手に対し、留守録のメッセージを再度喋ることを要請する旨の音声（例えば、「録音が５秒間中断されていましたので、その間のメッセージを再度お話下さい。」又は「録音が中断されていましたので、メッセージを再度最初からお話下さい。」）の送出を行い（ステップ２１２）、ステップ２０４に戻り、伝言メッセージの録音を再開する。
【００２９】
ここで図３を参照し、受信信号の誤り率と伝言メッセージ録音の動作状態の関係、および、伝言メッセージの保存状態について説明する。
【００３０】
時刻ｔ１において、伝言メッセージの録音が開始されると（図２のステップ２０４、図３の３１０）、同時に、符号誤り率３０１の測定を開始する（図３の３０２）。時刻ｔ２において、受信信号の符号誤り率が、メモリ部１０１に設定されたしきい値３０８を超えた場合には（図２のステップ２０５でＹＥＳ、図３の３０３）、伝言メッセージの録音を一時停止する（図２のステップ２０９、図３の３１１）。時刻ｔ３において、符号誤り率がしきい値以下に戻った場合には（図２のステップ２１１でＹＥＳ、図３の３０４）、伝言メッセージの録音を再開する（図２のステップ２１３、図３の３１２）。
【００３１】
時刻ｔ４において、再度、符号誤り率がしきい値を超えた場合には（図２のステップ２０５でＹＥＳ、図３の３０５）、伝言メッセージの録音を一時停止する（図２のステップ２０９、図３の３１３）。時刻ｔ５において、再度、符号誤り率がしきい値以下に戻った場合には（図２のステップ２１１でＹＥＳ、図３の３０６）、伝言メッセージの録音を再開する（図２のステップ２１３、図３の３１４）。
【００３２】
時刻ｔ６において、通話相手による終話処理が行われると（図２のステップ２０６でＹＥＳ、図３の３１５）、符号誤り率の測定を終了する（図３の３０７）。
【００３３】
メモリ部１０１には、録音した断片的なメッセージ３１６、３１７及び３１８を、１つの伝言メッセージ３２０にまとめて保存する。又は、メモリ部１０１には、最後のメッセージ３１８のみを、１つの伝言メッセージ３２０Ｂ（図４参照）として保存する。
【００３４】
［実施形態２］
実施形態１においては、符号誤り率がしきい値を超えた場合に、録音を一時中断するものである。これに対し、実施形態２は、受信電界強度がしきい値を下回った場合に、録音を一時中断するものである。
【００３５】
本発明の実施形態２による携帯電話の構成を図５のブロック図を参照し説明する。
【００３６】
本発明の実施形態２による携帯電話は、メモリ部４０１、制御部４０２、無線部４０３、アンテナ部４０４、留守番電話部４０５及び電界強度測定部４０６を備える。
【００３７】
メモリ部４０１は、フラッシュメモリ等より構成され、留守番電話機能の録音メッセージや不在メッセージ、また、受信信号の電界強度のしきい値、更には携帯電話の設定などを保持する。
【００３８】
制御部４０２は、携帯電話全体の制御を行う。また、制御部４０２は、電界強度測定部４０６の状態を確認し、電界強度がメモリ部４０１に設定されたしきい値を下回った場合には、伝言メッセージの録音を一時停止する、また、制御部４０２は、電界強度がしきい値以上に戻った場合には、メッセージの録音を再開し、再開の際にその旨を通話相手に通知する。
【００３９】
無線部４０３は、送信無線信号及び受信無線信号の変復調等を行う。
【００４０】
アンテナ部４０４は、無線信号の送受信を行う。
【００４１】
留守番電話部４０５は、通話相手の声をメモリ部４０１に記録する。
【００４２】
電界強度測定部４０６は、受信信号の電界強度を測定する。
【００４３】
次に、本発明の実施形態２による携帯電話の動作を図５及び図６を参照して説明する。
【００４４】
留守番電話状態に入ったならば（ステップ５０１）、着呼があるまで待ち続け（ステップ５０２）、着呼があったならば（ステップ５０２でＹＥＳ）、不在メッセージを通話相手に送出し（ステップ５０３）、次に、伝言メッセージの録音を開始する（ステップ５０４）。
録音の最中には、常に制御部４０２は電界強度測定部４０６により測定された受信信号の電界強度を監視し、その電界強度がメモリ部４０１に設定されたしきい値を下回るか否かを判断する（ステップ５０５）。電界強度がしきい値以上である場合には（ステップ５０５でＮＯ）、通話相手による終話処理が完了したか否かを判断する（ステップ５０６）。通話相手による終話処理が行われていない場合には（ステップ５０６でＮＯ）、ステップ５０４に戻り、伝言メッセージの録音を継続する。通話相手による終話処理が完了した場合には（ステップ５０６でＹＥＳ）、伝言メッセージをメモリ部４０１に保存し（ステップ５０７）、終話する（ステップ５０８）。
【００４５】
電界強度がメモリ部４０１に設定されたしきい値を下回ったと判断された場合には（ステップ５０５でＹＥＳ）、制御部４０２は留守番電話部４０５に伝言メッセージの録音を一時停止させる（ステップ５０９）。次に、制御部４０２は、メッセージの録音完了を確認し、また、録音の途中終了の確認として、通話相手による終話処理完了を確認する（ステップ５１０）。通話相手による終話処理が完了している場合には（ステップ５１０でＹＥＳ）、伝言メッセージを保存し（ステップ５０７）、終話する（ステップ５０８）。
【００４６】
通話相手による終話処理が行われていない場合には（ステップ５１１でＮＯ）、受信信号の電界強度がしきい値以上に戻ったか否かを確認する（ステップ５１１）。受信信号の電界強度がしきい値以上に戻らない場合には（ステップ５１１でＮＯ）、ステップ５１０に戻り、再度、通話相手による終話処理完了を確認する。
【００４７】
受信信号の電界強度がしきい値以上に戻った場合には（ステップ５１１でＹＥＳ）、電波環境が正常に戻ったとして、通話相手に対し、留守録のメッセージを再度喋ることを要請する旨の音声の送出を行い（ステップ５１２）、ステップ５０４に戻り、伝言メッセージの録音を再開する。
【００４８】
ここで図７を参照し、受信信号の電界強度と伝言メッセージ録音の動作状態の関係、および、伝言メッセージの保存状態について説明する。
【００４９】
時刻ｔ１において、伝言メッセージの録音が開始されると（図６のステップ５０４、図７の６１０）、同時に、電界強度６０１の測定を開始する（図７の６０２）。時刻ｔ２において、受信信号の電界強度が、メモリ部４０１に設定されたしきい値６０８を下回った場合には（図６のステップ５０５でＹＥＳ、図７の６０３）、伝言メッセージの録音を一時停止する（図６のステップ５０９、図７の６１１）。時刻ｔ３において、電界強度がしきい値以上に戻った場合には（図６のステップ５１１でＹＥＳ、図７の６０４）、伝言メッセージの録音を再開する（図６のステップ５１３、図７の６１２）。
【００５０】
時刻ｔ４において、再度、電界強度がしきい値を下回った場合には（図６のステップ５０５でＹＥＳ、図７の６０５）、伝言メッセージの録音を一時停止する（図６のステップ５０９、図７の６１３）。時刻ｔ５において、再度、電界強度がしきい値以上に戻った場合には（図６のステップ５１１でＹＥＳ、図７の６０６）、伝言メッセージの録音を再開する（図６のステップ５１３、図７の６１４）。
【００５１】
時刻ｔ６において、通話相手による終話処理が行われると（図６のステップ５０６でＹＥＳ、図７の６１５）、電界強度の測定を終了する（図７の６０７）。
【００５２】
メモリ部４０１には、録音した断片的なメッセージ６１６、６１７及び６１８を、１つの伝言メッセージ６２０にまとめて保存する。又は、メモリ部４０１には、録音した最後のメッセージ６１８のみを、１つの伝言メッセージ６２０Ｂ（図８参照）として保存する。
【００５３】
上記の実施形態においては、留守録欠落防止方法を、携帯電話に適用するとしたが、この他ＩＰ電話等の通信品質の低下することが起こりえる電話に適用することができる。
【産業上の利用可能性】
【００５４】
本発明は、携帯電話等の留守録に用いることができる。
【図面の簡単な説明】
【００５５】
【図１】本発明の実施形態１による携帯電話の構成を示すブロック図である。
【図２】本発明の実施形態１による携帯電話により行われる留守録欠落防止方法を示すフローチャートである。
【図３】本発明の実施形態１による携帯電話により行われる留守録欠落防止方法を示す第１のタイミング図である。
【図４】本発明の実施形態１による携帯電話により行われる留守録欠落防止方法を示す第２のタイミング図である。
【図５】本発明の実施形態２による携帯電話の構成を示すブロック図である。
【図６】本発明の実施形態２による携帯電話により行われる留守録欠落防止方法を示すフローチャートである。
【図７】本発明の実施形態２による携帯電話により行われる留守録欠落防止方法を示す第１のタイミング図である。
【図８】本発明の実施形態２による携帯電話により行われる留守録欠落防止方法を示す第２のタイミング図である。
【符号の説明】
【００５６】
１０１  メモリ部
１０２  制御部
１０３  無線部
１０４  アンテナ部
１０５  留守番電話部
１０６  符号誤り率測定部
４０１  メモリ部
４０２  制御部
４０３  無線部
４０４  アンテナ部
４０５  留守番電話部
４０６  電界強度測定部
【図１】
2005079821.tif 000003
【図２】
2005079821.tif 000004
【図３】
2005079821.tif 000005
【図４】
2005079821.tif 000006
【図５】
2005079821.tif 000007
【図６】
2005079821.tif 000008
【図７】
2005079821.tif 000009
【図８】
2005079821.tif 000010